(57)【要約】【課題】簡単にかつワンタッチ操作で壁へ仮止めすることができる電気器具取付体を提供する。【解決手段】壁に形成された孔に仮止めされ、当該壁を挟んでコンセントまたはスイッチと固定され得る電気器具取付体。該取付体は、左右の側壁と上下の側壁とを有しており、前記左右の側壁の前方縁には、前記壁の厚さとほぼ同じ長さの起立部が立設されている。前記下側の側壁の外側前方縁には、つば部が立設されており、前記下側の側壁前方縁には、ねじ孔部が立設されており、かつ前記起立部の前端には、外方へ折り曲げられた折曲部が形成されている。【選択図】図１
2005269774.tif 000002
【特許請求の範囲】
【請求項１】
壁に形成された孔に仮止めされ、当該壁を挟んでコンセントまたはスイッチと固定され得る電気器具取付体であって、
該取付体は、左右の側壁と上下の側壁とを有しており、
前記左右の側壁の前方縁には、前記壁の厚さとほぼ同じ長さの起立部が立設されており、前記下側の側壁の外側前方縁には、つば部が立設されており、
前記下側の側壁前方縁には、ねじ孔部が立設されており、かつ
前記起立部の前端には、外方へ折り曲げられた折曲部が形成されていることを特徴とする電気器具取付体。
【請求項２】
壁に形成された孔に仮止めされ、当該壁を挟んでコンセントおよび／またはスイッチと固定され得る電気器具取付体であって、
該取付体は、左右の側壁と上下の側壁とを有しており、
前記左右の側壁の前方縁には、前記壁の厚さとほぼ同じ長さの起立部が立設されており、前記下側の側壁の外側前方縁には、つば部が立設されており、
前記下側の側壁前方縁には、ねじ孔部が立設されており、
前記取付体が、複数のコンセントおよび／またはスイッチを収納し得るようにセパレータにより複数の収納部に区切られた多連形状を呈していることを特徴とする電気器具取付体。
【請求項３】
前記つば部の表面に複数条のリブが設けられている請求項１または２記載の電気器具取付体。
【請求項４】
前記左右の側壁と起立部とが一体に形成されている請求項１または２記載の電気器具取付体。
【請求項５】
壁に形成された孔に仮止めされ、当該壁を挟んでコンセントまたはスイッチと固定され得る電気器具取付体であって、
該取付体は、左右の側壁と上下の当接壁とを有しており、
前記左右の側壁の前方縁には、前記壁の厚さとほぼ同じ長さの起立部が立設されており、前記下側の当接壁の前面には、つめが立設されており、かつ
前記起立部の前端には、外方へ折り曲げられた折曲部が形成されていることを特徴とする電気器具取付体。
【請求項６】
前記左右の側壁と起立部とが一体に形成されている請求項５記載の電気器具取付体。
【発明の詳細な説明】
【技術分野】
【０００１】
本発明は電気器具取付体に関する。さらに詳しくは、コンセントやスイッチなどの電気器具を取り付けるための取付体であって、簡単にかつワンタッチ操作で壁へ仮止めすることができる電気器具取付体に関する。
【背景技術】
【０００２】
従来より、コンセントやスイッチなどの電気器具を壁に設置するに際し、工事を簡略化するとともに、精度よく取り付けるために、前記コンセントやスイッチを収納するボックス状の取付体を壁に穿設した開口に仮固定する方法が種々提案されている。
【０００３】
そして、本出願人も、さきに内壁の厚さ、および内壁に穿設される壁孔と取付体とのあいだの遊びに影響されることなく、取付体を壁孔に当接させることができるとともに、取付体の壁孔への仮止めを容易に行なうことができ、かつ、該仮止めを強固にすることができる電気器具取付体を提案した（特許文献１参照）。
【０００４】
この特許文献１記載の取付体は、図１２〜１３に示されるように、短辺部２０ａおよび長辺部２０ｂからなる略Ｌ字状の仮止め本体２０と、前記長辺部２０ｂに立設する係止片２１とからなる仮止め具２３を用いて壁Ｗへの仮止めが行なわれる。なお、２０ｃは補強部である。
【０００５】
前記取付体は、その左右の側壁部に前記仮止め具２２の長辺部２０ｂを係止するガイド溝２３と、その上下の側壁部に壁Ｗを挟持するためのつば２４とを有している。
【０００６】
そして、かかる取付体を仮止め具２２を用いて壁孔に取り付けるには、まず取付体を横に傾けて壁孔２５から壁Ｗの内側へ挿入する。そして図１２に示されるように、取付体の左右の側壁部２６と円筒形状のねじ孔部２７を壁孔２５の周辺に密着させるようにしてから、取付体を片手の指などにより保持しながら、もう一方の手で仮止め具２２の長辺部２０ａと係止片２１を取付体のガイド溝２３に挿入し、仮止め具２２の短辺部２０ａが壁Ｗの壁面に当接するまで差し込む。ついで図１３に示されるように、取付体の平面側に露出した各仮止め具２２のひも状の係止片２１をそれぞれ外側に折り曲げ、くの字状になるまで取付体の背面側を取り巻いて固定する。これにより、取付体が短辺部２０ａ、係止片２１および鍔２４により壁Ｗに挟持されるため、取付体の壁孔２５への仮止めが容易に、かつ、強固になし得る。
【０００７】
【特許文献１】特開２０００−６９６４４号公報
【発明の開示】
【発明が解決しようとする課題】
【０００８】
特許文献１記載の取付体は、仮止め具の係止片を折り曲げるだけで簡単に取付体を壁孔に仮固定することができるが、仮止め具のガイド溝への挿入および係止片の折り曲げという操作が必要であり、多数のコンセントやスイッチを壁に取り付ける必要のある現場においては、さらなる取付操作の簡略化が望まれていた。
【０００９】
本発明は、叙上の事情に鑑み、簡単にかつワンタッチ操作で壁へ仮止めすることができる電気器具取付体を提供することを目的とする。
【課題を解決するための手段】
【００１０】
本発明の電気器具取付体は、壁に形成された孔に仮止めされ、当該壁を挟んでコンセントまたはスイッチと固定され得る電気器具取付体であって、
該取付体は、左右の側壁と上下の側壁とを有しており、
前記左右の側壁の前方縁には、前記壁の厚さとほぼ同じ長さの起立部が立設されており、前記下側の側壁の外側前方縁には、つば部が立設されており、
前記下側の側壁前方縁には、ねじ孔部が立設されており、かつ
前記起立部の前端には、外方へ折り曲げられた折曲部が形成されていることを特徴としている。
【００１１】
また、本発明の電気器具取付体は、壁に形成された孔に仮止めされ、当該壁を挟んでコンセントおよび／またはスイッチと固定され得る電気器具取付体であって、
該取付体は、左右の側壁と上下の側壁とを有しており、
前記左右の側壁の前方縁には、前記壁の厚さとほぼ同じ長さの起立部が立設されており、前記下側の側壁の外側前方縁には、つば部が立設されており、
前記下側の側壁前方縁には、ねじ孔部が立設されており、
前記取付体が、複数のコンセントおよび／またはスイッチを収納し得るようにセパレータにより複数の収納部に区切られた多連形状を呈していることを特徴としている。
【００１２】
前記つば部の表面に複数条のリブが設けられているのが好ましい。
【００１３】
前記左右の側壁と起立部とが一体に形成されているのが好ましい。
【００１４】
さらに、本発明の電気器具取付体は、壁に形成された孔に仮止めされ、当該壁を挟んでコンセントまたはスイッチと固定され得る電気器具取付体であって、
該取付体は、左右の側壁と上下の当接壁とを有しており、
前記左右の側壁の前方縁には、前記壁の厚さとほぼ同じ長さの起立部が立設されており、前記下側の当接壁の前面には、つめが立設されており、かつ
前記起立部の前端には、外方へ折り曲げられた折曲部が形成されていることを特徴としている。
【発明の効果】
【００１５】
本発明によれば、取付体の側壁部に立設した起立部先端の折曲部と、つば部と、下側の側壁に立設したねじ孔部とで壁を挟持するようにしており、壁孔に取付体を挿入して前記折曲部またはねじ孔部を壁孔の下方の縁に当接させるだけで、簡単にかつワンタッチ操作で取付体を壁孔に仮固定することができる。または、前記折曲部と、つめと、下側の当接壁とで壁を挟持するようにしており、壁孔に取付体を挿入して前記つめを壁孔の下端縁に当接させるだけで、簡単にかつワンタッチ操作で取付体を壁孔に仮固定することができる。
【発明を実施するための最良の形態】
【００１６】
つぎに図面を参照しながら本発明の電気器具取付体を詳細に説明する。
【００１７】
図１は本発明の電気器具取付体の一実施の形態の斜視説明図である。
【００１８】
図１に示される電気器具取付体Ａ（以下、取付体という）は、一面が開放された有底の箱状を呈しており、左右の側壁１ａと上下の側壁１ｂとを有している。なお、本明細書において「左右」および「上下」とは、図７に示されるように、本発明の取付体Ａを壁孔に取り付けた状態における「左右」または「上下」を意味するものである。
【００１９】
なお、図１に示される実施の形態にかかわる取付体Ａは、底部１ｃを有しているが、この底部１ｃは、取付体Ａの取付部位や要求される性能などに応じて省略することもできる。
【００２０】
前記左右の側壁１ａの前方縁（図１において開放面側の縁のこと。取付体が室内に設置される場合、室内側の縁のこと）には、取付体Ａが仮止めされる壁の厚さとほぼ同じ高さまたは長さの起立部２が立設されている。この起立部２の前端には、外方へ折り曲げられた折曲部２ａが形成されている。
【００２１】
また、上下の側壁１ｂの外側の面の前方縁には、つば部３が立設されている。
【００２２】
前記つば部３の前面には、壁Ｗの裏面との密着性をよくし、壁Ｗをより確実に挟持し得るように複数条のリブ４が上下の側壁１ｂと同じ方向（左右方向）に形成されている。
【００２３】
前記下側の側壁１ｂの前方縁には、後述するスイッチやコンセントの取付枠を取り付けるための円筒形状のねじ孔部５が、前記起立部２と同方向へ立設されている。
【００２４】
前記取付体Ａは、合成樹脂、金属またはこれらを適宜組み合わせたもので作製することができるが、合成樹脂により一体成型することで低コストで大量に作製することができる。この場合、起立部２と左右の側壁１ａは一体に形成されることになるが、この起立部２は、側壁１ａとは別体に作製しておいて、別途側壁１ａに接着または溶着などにより固定するようにしてもよい。
【００２５】
なお、図１において、６は、配線ケーブルなどを取付体Ａ内に導入するための開口である。
【００２６】
つぎに本実施の形態にかかわる取付体Ａを壁孔に取り付ける方法を説明する。
【００２７】
まず、スイッチやコンセントを設置しようとする壁の部分に孔をあけるのであるが、この孔は、ドリルやのこを用いてあけることもできるが、ホールソーを用いて丸孔を複数個あけ、たとえば通常の縦長のスイッチやコンセントの場合は、上下２つの丸孔をあけ、その後２つの丸孔の側周を削り取って縦長の長円形状の壁孔とすることができる。ホールソーを用いることにより、簡単かつ高精度に壁孔をあけることができる。
【００２８】
ついで、図２〜４に示されるように、取付体Ａの下方部を指先で把持し、取付体Ａの上方部を壁Ｗの孔７から壁Ｗの内側へ挿入する。そうすると、起立部２の折曲部２ａだけが孔７の手前側周縁に当接する（図５参照）。そして、この状態から取付体Ａを押し下げると、起立部２の下端が孔７の下方の縁（半円周状）に当接することにより取付体Ａ全体を支持し、取付体Ａの仮止め作業が完了する（図６参照）。なお、長円形状の孔７に代えて矩形状の孔を採用した場合は、ねじ孔部５が前記矩形状の孔の下側の縁に当接することになる。
【００２９】
こうして、取付体Ａを壁Ｗの孔７に仮止めしておくと、図７に示されるように、雄ねじ８をスイッチＳＷの取付枠９の孔に挿入し、ついで前記ねじ孔部５内に螺入することにより、前記取付枠９を取付体Ａに取り付けることができる。そして、前記取付体９にビス１０により枠体１１を取り付け、ついで保護カバー１２を前記枠体１１に固着することにより、スイッチの取付が完了する。
【００３０】
なお、図７に示される例では、スイッチＳＷが取付体Ａに取り付けているが、本発明においては、取付体Ａを当初からスイッチ用またはコンセント用のいずれかの取付体と予定しておくことなく、壁Ｗの孔７への取付作業を進めることができる。また、コンセント、スイッチのいずれを取り付けるかの当初の予定を変更することももちろん容易である。
【００３１】
つぎに、本発明の他の実施の形態にかかわる取付体を説明する。図８に示される実施の形態では、取付体が、複数のコンセントおよび／またはスイッチを収入し得るようにセパレータ１３により複数の収納部に区切られた多連形状を呈している。そして、図１に示される実施の形態と同様に、左右の側壁１ａには起立部２が立設されており、また下側の側壁１ｂにはつば部３およびねじ孔部５が設けられている。図８に示される実施の形態は２連であるが、３連以上とすることも可能である。なお、図８に示される実施の形態におけるセパレータは、取付体とは別体となっており、取付体のつば部に形成された凹所１４にセパレータ１３の耳部１３ａをはめ込むことにより、取付体を２つの収容部に仕切ることができるが、このセパレータ１３は取付体と一体成形するようにしてもよい。
【００３２】
図９〜１１は本発明の取付体のさらに他の実施の形態を示しており、この取付体Ｂは、金属プレートに切断、加工およびプレス加工などを施すことにより作製することができる。
【００３３】
前記取付体Ｂは、左右の側壁１５と上下の当接壁１６とを有しており、前記左右の側壁１５の前方縁には、当該取付体Ｂが仮止めされる壁の厚さとほぼ同じ長さの起立部１７が立設されている。そして、この起立部１７の前端には、外方の折り曲げられた折曲部１７ａが形成されている。
【００３４】
当接壁１６は、取付体Ｂを壁に仮止めしたときに当該壁の裏面と当接する部位であり、下側の当接壁１６の前面にはつめ１８が立設されている。このつめ１８は、当接壁１６の一部を切り欠いて形成した舌片状の部分を取付体Ｂの前面側に起立させることにより形成することができる。
【００３５】
なお、図９に示される実施の形態においては、起立部１７およびつめ１８が取付体Ｂの他の部分とともに一体に作製されているが、前記起立部１７およびつめ１８は、別体の部材として作製し、他の部位に接着または溶着などにより固定するようにしてもよい。
【００３６】
つぎに本実施の形態にかかわる取付体Ｂを壁孔に取り付ける方法を説明する。
【００３７】
まず、前述した取付体Ａの場合と同様に壁に孔をあける。
【００３８】
ついで、図１０に示されるように、取付体Ｂの下方部を指先で把持し、取付体Ｂの上方部を壁Ｗの孔７から壁Ｗの内側へ挿入する。そうすると、起立部１７の折曲部１７ａだけが孔７の手前側周縁に当接する。そして、この状態から取付体Ｂを押し下げると、つば１８が孔７の下端縁に当接することにより取付体Ｂ全体を支持し、取付体Ｂの仮止め作業が完了する（図１１参照）。以後のスイッチや保護カバーなどの取付手順は、図７に示されるものと同様である。
【図面の簡単な説明】
【００３９】
【図１】本発明の電気器具取付体の一実施の形態の斜視図説明図である。
【図２】図１に示される電気器具取付体の壁への取付方法の説明図である。
【図３】図１に示される電気器具取付体の壁への取付方法の説明図である。
【図４】図１に示される電気器具取付体の壁への取付方法の説明図である。
【図５】図１に示される電気器具取付体の壁への取付方法の説明図である。
【図６】図１に示される電気器具取付体の壁への取付方法の説明図である。
【図７】図１に示される電気器具取付体の使用方法説明図である。
【図８】本発明の電気器具取付体の他の実施の形態の斜視説明図である。
【図９】本発明の電気器具取付体のさらに他の実施の形態の斜視説明図である。
【図１０】図９に示される電気器具取付体の壁への取付方法の説明図である。
【図１１】図９に示される電気器具取付体の壁への取付方法の説明図である。
【図１２】従来の電気器具取付体の説明図である。
【図１３】従来の電気器具取付体の説明図である。
【符号の説明】
【００４０】
Ａ    電気器具取付体
Ｗ    壁
１ａ、１ｂ  側壁
２    起立部
３    つば部
５    ねじ孔部
７    孔
１３    セパレータ
【図１】
2005269774.tif 000003
【図２】
2005269774.tif 000004
【図３】
2005269774.tif 000005
【図４】
2005269774.tif 000006
【図５】
2005269774.tif 000007
【図６】
2005269774.tif 000008
【図７】
2005269774.tif 000009
【図８】
2005269774.tif 000010
【図９】
2005269774.tif 000011
【図１０】
2005269774.tif 000012
【図１１】
2005269774.tif 000013
【図１２】
2005269774.tif 000014
【図１３】
2005269774.tif 000015